(57)【要約】    【課題】  高ズーム比でズーム全域で良好な光学特性が得られるズームレンズを得ること。    【解決手段】  物体側より像側へ順に、正の屈折力の第１レンズ群、負の屈折力の第２レンズ群、正の屈折力の第３レンズ群、負の屈折力の第４レンズ群、１つ以上のレンズ群を含む後群より構成され、ズーミングに際して第１レンズ群は移動し、隣り合うレンズ群の間隔が変化するズームレンズであって、第１レンズ群の焦点距離ｆ１、第１レンズ群の最も物体側のレンズ面から最も像側のレンズ面までの光軸上の距離Ｄ１、広角端における全系の焦点距離ｆｗ、望遠端における全系の焦点距離ｆｔを各々適切に設定すること。【選択図】    図１
2017068155.tif 000002
【特許請求の範囲】
【請求項１】
物体側より像側へ順に、正の屈折力の第１レンズ群、負の屈折力の第２レンズ群、正の屈折力の第３レンズ群、１つ以上のレンズ群を含む後群より構成され、ズーミングに際して、前記第１レンズ群は移動し、隣り合うレンズ群の間隔が変化するズームレンズであって、
前記第１レンズ群の焦点距離をｆ１、前記第１レンズ群の最も物体側のレンズ面から前記第１レンズ群の最も像側のレンズ面までの光軸上の距離をＤ１、広角端における全系の焦点距離をｆｗ、望遠端における全系の焦点距離をｆｔとするとき、
０．２００＜ｆ１／ｆｔ＜０．３３５
３．５＜Ｄ１／ｆｗ＜１２．０
なる条件式を満足することを特徴とするズームレンズ。
【請求項２】
請求項１に記載のズームレンズであって、
２０．０＜ｆ１／ｆｗ＜５０．０
なる条件式を満足することを特徴とするズームレンズ。
【請求項３】
前記第２レンズ群の広角端における横倍率をβ２ｗ、前記第２レンズ群の望遠端における横倍率をβ２ｔとするとき、
１８．０＜β２ｔ／β２ｗ＜４０．０
なる条件式を満足することを特徴とする請求項１または２に記載のズームレンズ。
【請求項４】
広角端から望遠端へのズーミングにおける前記第１レンズ群の移動量をＭ１とするとき、
１５．０＜Ｍ１／ｆｗ＜４０．０
なる条件式を満足することを特徴とする請求項１乃至３のいずれか１項に記載のズームレンズ。
【請求項５】
広角端における、前記第２レンズ群の最も像側のレンズ面から前記第３レンズ群の最も物体側のレンズ面までの光軸上の距離をＤ２３ｗとするとき、
１０．０＜Ｄ２３ｗ／ｆｗ＜２０．０
なる条件式を満足することを特徴とする請求項１乃至４のいずれか１項に記載のズームレンズ。
【請求項６】
前記第２レンズ群の焦点距離をｆ２とするとき、
−７０．０＜ｆｔ／ｆ２＜−３０．０
なる条件式を満足することを特徴とする請求項１乃至５のいずれか１項に記載のズームレンズ。
【請求項７】
前記第２レンズ群と前記第３レンズ群の間に、ズーミングに際して移動する開口絞りを有し、広角端から望遠端へのズーミングにおける前記開口絞りの移動量をＭｓ、広角端から望遠端へのズーミングにおける前記第３レンズ群の移動量をＭ３とするとき、
０．２＜Ｍｓ／Ｍ３＜１．０
なる条件式を満足することを特徴とする請求項１乃至６のいずれか１項に記載のズームレンズ。
【請求項８】
前記第１レンズ群は複数の正レンズを有し、前記第１レンズ群に含まれる正レンズの焦点距離の平均値をｆａｖｅ１ｐとするとき、
３４．０＜ｆａｖｅ１ｐ／ｆｗ＜７０．０
なる条件式を満足することを特徴とする請求項１乃至７のいずれか１項に記載のズームレンズ。
【請求項９】
前記第１レンズ群は１枚以上の負レンズを有し、前記第１レンズ群に含まれる負レンズの材料のｄ線におけるアッベ数をνｄ１ｎとするとき、前記第１レンズ群に含まれる少なくとも１つの負レンズの材料のアッベ数は、
３０．０＜νｄ１ｎ＜５０．０
なる条件式を満足することを特徴とする請求項１乃至８のいずれか１項に記載のズームレンズ。
【請求項１０】
前記第１レンズ群は複数の正レンズを有し、前記第１レンズ群に含まれる正レンズの材料のｄ線におけるアッベ数をνｄ１ｐとするとき、前記第１レンズ群に含まれる少なくとも１つの正レンズの材料のアッベ数は、
８２．０＜νｄ１ｐ
なる条件式を満足することを特徴とする請求項１乃至９のいずれか１項に記載のズームレンズ。
【請求項１１】
前記後群は、物体側から像側へ順に、負の屈折力の第４レンズ群、正の屈折力の第５レンズ群から構成されることを特徴とする請求項１乃至１０のいずれか１項に記載のズームレンズ。
【請求項１２】
前記後群は物体側から像側へ順に、負の屈折力の第４レンズ群、正の屈折力の第５レンズ群、負の屈折力の第６レンズ群からなることを特徴とする請求項１乃至１０のいずれか１項に記載のズームレンズ。
【請求項１３】
フォーカシングに際して前記第５レンズ群が移動することを特徴とする請求項１１又は１２に記載のズームレンズ。
【請求項１４】
前記第１レンズ群は、物体側から像側へ順に、負レンズ、正レンズ、正レンズ、正レンズからなることを特徴とする請求項１乃至１３のいずれか１項に記載のズームレンズ。
【請求項１５】
固体撮像素子に像を形成することを特徴とする請求項１乃至１４のいずれか１項に記載のズームレンズ。
【請求項１６】
請求項１乃至１５のいずれか１項に記載のズームレンズと、該ズームレンズによって形成される像を受光する固体撮像素子とを有することを特徴とする撮像装置。
【発明の詳細な説明】
【技術分野】
【０００１】
本発明はズームレンズ及びそれを有する撮像装置に関し、例えばビデオカメラ、電子スチルカメラ、放送用カメラ、監視カメラ等のように固体撮像素子を用いた撮像装置、或いは銀塩フィルムを用いたカメラ等の撮像装置に好適なものである。
【背景技術】
【０００２】
近年、固体撮像素子や銀塩フィルムを用いた撮像装置は高機能化され、又装置全体が小型化されている。そしてそれに用いる撮像光学系としてはレンズ全長が短く、コンパクト（小型）で、広画角、高ズーム比（高変倍比）のズームレンズであること等が要求されている。
【０００３】
これらの要求に応えるズームレンズとして物体側より像側へ順に正、負、正、負の屈折力を有する第１レンズ群ないし第４レンズ群と、それに続く１つ以上のレンズ群を含む後群を有するポジティブリード型のズームレンズが知られている（特許文献１乃至３）。特許文献１、２では物体側より像側へ順に、正、負、正、負、正の屈折力の第１レンズ群ないし第５レンズ群より成る５群構成のズームレンズを開示している。特許文献３では物体側より像側へ順に、正、負、正、負、正、負の屈折力の第１レンズ群ないし第６レンズ群より成る６群ズームレンズを開示している。
【先行技術文献】
【特許文献】
【０００４】
【特許文献１】特開２０１０−３２７００号公報
【特許文献２】特開２０１３−２３５０６０号公報
【特許文献３】特開平０７−２６１０７９号公報
【発明の概要】
【発明が解決しようとする課題】
【０００５】
ポジティブリード型のズームレンズは全系の小型化を図りつつ、広画角化及び高ズーム比化を図ることが比較的容易である。多くのポジティブリード型のズームレンズにおいて、軸上光線は第１レンズ群を光軸から離れた位置を通過する。このためポジティブリード型のズームレンズにおいて望遠端での焦点距離を長く（長焦点距離化）しつつ、高ズーム比化を図ると望遠側のズーム領域において、第１レンズ群より球面収差、コマ収差、色収差等の諸収差が多く発生してくる。
【０００６】
一方、前述したポジティブリード型のズームレンズでは第１レンズ群の大きさがズームレンズ全体の大きさに大きく影響する。このため、ポジティブリード型のズームレンズにおいて、全系の小型化を図りつつ、高ズーム比で全ズーム範囲にわたり高い光学性能を得るには、第１レンズ群の屈折力やレンズ構成等を適切に設定することが重要になってくる。また全系の小型化を図りつつ、高ズーム比化を達成するには変倍用の第２レンズ群の屈折力や広角端と望遠端における第２レンズ群の結像倍率等を適切に設定することが重要になってくる。
【０００７】
この他、ズーミングに際して第１レンズ群や第３レンズ群が移動するときはそれらのレンズ群の移動量を適切に設定することが重要になってくる。これらの構成を適切に設定しないと、全系の小型化を図りつつ、高ズーム比で、しかも望遠端において諸収差を良好に補正し、全ズーム範囲で高い光学性能のズームレンズを得るのが難しくなってくる。
【０００８】
本発明は、高ズーム比でズーム全域で良好な光学特性が得られるズームレンズ及びそれを有する撮像装置の提供を目的とする。
【課題を解決するための手段】
【０００９】
本発明のズームレンズは、物体側より像側へ順に、正の屈折力の第１レンズ群、負の屈折力の第２レンズ群、正の屈折力の第３レンズ群、１つ以上のレンズ群を含む後群より構成され、ズーミングに際して、前記第１レンズ群は移動し、隣り合うレンズ群の間隔が変化するズームレンズであって、
前記第１レンズ群の焦点距離をｆ１、前記第１レンズ群の最も物体側のレンズ面から前記第１レンズ群の最も像側のレンズ面までの光軸上の距離をＤ１、広角端における全系の焦点距離をｆｗ、望遠端における全系の焦点距離をｆｔとするとき、
０．２００＜ｆ１／ｆｔ＜０．３３５
３．５＜Ｄ１／ｆｗ＜１２．０
なる条件式を満足することを特徴としている。
【発明の効果】
【００１０】
本発明によれば、高ズーム比でズーム全域で良好な光学特性が得られるズームレンズ及びそれを有する撮像装置が得られる。
【図面の簡単な説明】
【００１１】
【図１】本発明の実施例１の広角端におけるレンズ断面図
【図２】（Ａ）、（Ｂ）、（Ｃ）  本発明の実施例１のズームレンズの広角端、中間のズーム位置、望遠端における収差図
【図３】本発明の実施例２の広角端におけるレンズ断面図
【図４】（Ａ）、（Ｂ）、（Ｃ）  本発明の実施例２のズームレンズの広角端、中間のズーム位置、望遠端における収差図
【図５】本発明の実施例３の広角端におけるレンズ断面図
【図６】（Ａ）、（Ｂ）、（Ｃ）  本発明の実施例３のズームレンズの広角端、中間のズーム位置、望遠端における収差図
【図７】本発明の実施例４の広角端におけるレンズ断面図
【図８】（Ａ）、（Ｂ）、（Ｃ）  本発明の実施例４のズームレンズの広角端、中間のズーム位置、望遠端における収差図
【図９】本発明の実施例５の広角端におけるレンズ断面図
【図１０】（Ａ）、（Ｂ）、（Ｃ）  本発明の実施例５のズームレンズの広角端、中間のズーム位置、望遠端における収差図
【図１１】本発明の実施例６の広角端におけるレンズ断面図
【図１２】（Ａ）、（Ｂ）、（Ｃ）  本発明の実施例６のズームレンズの広角端、中間のズーム位置、望遠端における収差図
【図１３】本発明の撮像装置の要部概略図
【発明を実施するための形態】
【００１２】
本発明のズームレンズは、物体側より像側へ順に、正の屈折力の第１レンズ群、負の屈折力の第２レンズ群、正の屈折力の第３レンズ群とその後に続く１つ以上のレンズ群を含む後群を有している。ズーミングの際に第１レンズ群が光軸上を移動する。またズーミングに際して隣り合うレンズ群の間隔が変化する。
【００１３】
図１は本発明の実施例１のズームレンズの広角端（単焦点距離端）におけるレンズ断面図である。図２（Ａ）、（Ｂ）、（Ｃ）はそれぞれ実施例１のズームレンズの広角端、中間のズーム位置、望遠端（長焦点距離端）における収差図である。実施例１はズーム比９５．１２、Ｆナンバー２．８８〜６．７０のズームレンズである。
【００１４】
図３は本発明の実施例２のズームレンズの広角端におけるレンズ断面図である。図４（Ａ）、（Ｂ）、（Ｃ）はそれぞれ実施例２のズームレンズの広角端、中間のズーム位置、望遠端における収差図である。実施例２はズーム比１２０．０、Ｆナンバー３．２０〜６．９９のズームレンズである。
【００１５】
図５は本発明の実施例３のズームレンズの広角端におけるレンズ断面図である。図６（Ａ）、（Ｂ）、（Ｃ）はそれぞれ実施例３のズームレンズの広角端、中間のズーム位置、望遠端における収差図である。実施例３はズーム比１５０．０、Ｆナンバー３．４０〜７．５０のズームレンズである。
【００１６】
図７は本発明の実施例４のズームレンズの広角端におけるレンズ断面図である。図８（Ａ）、（Ｂ）、（Ｃ）はそれぞれ実施例４のズームレンズの広角端、中間のズーム位置、望遠端における収差図である。実施例４はズーム比９４．９９、Ｆナンバー２．８８〜６．７０のズームレンズである。
【００１７】
図９は本発明の実施例５のズームレンズの広角端におけるレンズ断面図である。図１０（Ａ）、（Ｂ）、（Ｃ）はそれぞれ実施例５のズームレンズの広角端、中間のズーム位置、望遠端における収差図である。実施例５はズーム比８０．４１、Ｆナンバー２．８８〜６．９０のズームレンズである。
【００１８】
図１１は本発明の実施例６のズームレンズの広角端におけるレンズ断面図である。図１２（Ａ）、（Ｂ）、（Ｃ）はそれぞれ実施例６のズームレンズの広角端、中間のズーム位置、望遠端における収差図である。実施例６はズーム比９５．１０、Ｆナンバー２．８８〜６．７０のズームレンズである。図１３は本発明の撮像装置の要部概略図である。
【００１９】
各実施例のズームレンズはビデオカメラ、デジタルカメラ、ＴＶカメラ、監視用カメラ、そして銀塩フィルムカメラ等の撮像装置に用いられる撮像レンズ系である。レンズ断面図において、左方が被写体側（物体側）（前方）で、右方が像側（後方）である。レンズ断面図において、ｉは物体側からのレンズ群の順番を示し、Ｌｉは第ｉレンズ群である。ＬＲは１つ以上のレンズ群を含む後群である。
【００２０】
レンズ断面図において、ＳＰは開口絞りであり、第２レンズ群Ｌ２と第３レンズ群Ｌ３の間に配置している。レンズ断面図において、Ｇは光学フィルター、フェースプレート、水晶ローパスフィルター、赤外カットフィルター等に相当する光学素子である。ＩＰは像面であり、ビデオカメラやデジタルスチルカメラの撮影光学系として使用する際にはＣＣＤセンサやＣＭＯＳセンサ等の固体撮像素子（光電変換素子）が像面に、銀塩フィルム用カメラのときはフィルム面に相当する感光面が置かれる。
【００２１】
矢印は広角端から望遠端へのズーミング（変倍）に際して、各レンズ群の移動軌跡と、フォーカシングの際のレンズ群の移動方向を示している。収差図のうち球面収差において、実線のｄはｄ線（波長５８７．６ｎｍ）、２点鎖線のｇはｇ線（波長４３５．８ｎｍ）である。非点収差図において点線のＭはｄ線のメリディオナル像面、実線のＳはｄ線のサジタル像面である。倍率色収差はｇ線によって表している。ωは半画角（撮影画角の半分の値）（度）、ＦｎｏはＦナンバーである。
【００２２】
実施例１乃至５のレンズ断面図において、Ｌ１は正の屈折力の第１レンズ群、Ｌ２は負の屈折力の第２レンズ群、Ｌ３は正の屈折力の第３レンズ群である。後群ＬＲは負の屈折力の第４レンズ群Ｌ４と正の屈折力の第５レンズ群Ｌ５より構成される。実施例１乃至５は５群ズームレンズである。
【００２３】
実施例１乃至５では広角端から望遠端へのズーミングに際して矢印のように第１レンズ群Ｌ１は像側へ凸状の軌跡を描いて移動する。第２レンズ群Ｌ２は像側へ移動する。第３レンズ群Ｌ３は物体側へ移動する。第４レンズ群Ｌ４は物体側へ移動する。第５レンズ群Ｌ５は物体側もしくは像側へ移動する。開口絞りＳＰは物体側へ移動する。
【００２４】
第５レンズ群Ｌ５を移動させて変倍に伴う像面変動を補正すると共に、フォーカシングを行っている。第５レンズ群Ｌ５に関する実線の曲線５ａと点線の曲線５ｂは、各々無限遠物体と近距離物体にフォーカスしているときの変倍に伴う像面変動を補正するための移動軌跡である。また、無限遠物体から近距離物体へフォーカスは、矢印５Ｃに示す如く第５レンズ群Ｌ５を前方に繰出すことで行っている。尚、フォーカシングは第５レンズ群Ｌ５に限らず、その他のレンズ群を単独、もしくは複数のレンズ群を用いて行っても良い。
【００２５】
実施例６のレンズ断面図においてＬ１は正の屈折力の第１レンズ群、Ｌ２は負の屈折力の第２レンズ群、Ｌ３は正の屈折力の第３レンズ群である。後群ＬＲは負の屈折力の第４レンズ群Ｌ４と正の屈折力の第５レンズ群Ｌ５、負の屈折力の第６レンズ群Ｌ６より構成される。実施例６は６群ズームレンズである。
【００２６】
実施例６では広角端から望遠端へのズーミングに際して矢印のように第１レンズ群Ｌ１は像側へ凸状の軌跡を描いて移動する。第２レンズ群Ｌ２は像側へ移動する。第３レンズ群Ｌ３は物体側へ移動する。第４レンズ群Ｌ４は物体側へ移動する。また第５レンズ群Ｌ５は物体側へ移動する。第６レンズ群Ｌ６は像面に対して不動である。実施例６では実施例１乃至５と同様に第５レンズ群Ｌ５を移動させて変倍に伴う像面変動を補正すると共に、フォーカシングを行っている。
【００２７】
第５レンズ群Ｌ５に関する実線の曲線５ａと点線の曲線５ｂは、各々無限遠物体と近距離物体にフォーカスしているときの変倍に伴う像面変動を補正するための移動軌跡である。また、無限遠物体から近距離物体へフォーカスは、矢印５Ｃに示す如く第５レンズ群Ｌ５を前方に繰出すことで行っている。尚、フォーカシングは第５レンズ群Ｌ５に限らず、その他のレンズ群を単独、もしくは複数のレンズ群を用いて行っても良い。実施例６では第６レンズ群Ｌ６の負の屈折力を適正に設定することで、ズーム全域において像面湾曲を良好に補正している。
【００２８】
各実施例では、第１レンズ群Ｌ１は広角端から望遠端へのズーミングに際し、物体側に位置するように移動することで、広角端におけるレンズ全長を短縮しつつ、大きなズーム比が得られるようにしている。
【００２９】
前玉有効径の小型化を達成するために、第１レンズ群Ｌ１は広角端から望遠端へのズーミングに際し、像側に凸状の軌跡を描くように、一旦像側に移動し、その後物体側に移動する。さらに開口絞りＳＰは、広角端から望遠端への変倍に際し、物体側に移動する。このように移動することで、広角端からズーム中間領域における第１レンズ群Ｌ１と開口絞りＳＰの位置を適切な距離に近づけて、広角端からズーム中間領域までのズーム範囲において軸外光線の光量を十分に確保した上で、前玉有効径を小さくしている。
【００３０】
第１レンズ群Ｌ１に３枚の正レンズを使用することで、第１レンズ群Ｌ１の正の屈折力を適正に保ったまま、第１レンズ群Ｌ１内の各レンズの屈折力を抑えて、望遠端において球面収差やコマ収差、軸上色収差、倍率色収差を良好に補正している。歪曲収差をある程度許容した電子収差補正手段を有することを前提の構成とすれば、前玉有効径を小さくすることが容易となるため、全系の小型化を図ることが容易となる。
【００３１】
ズーミングに際し、広角端に比べ望遠端において第２レンズ群Ｌ２が像側に位置するように移動させることにより、第２レンズ群Ｌ２に大きな変倍効果を持たせている。ズーミングに際し、広角端に比べ望遠端において第３レンズ群Ｌ３が物体側に位置するように移動させることにより、第３レンズ群Ｌ３に大きな変倍効果を持たせている。第４レンズ群Ｌ４は、ズーミングに際し、広角端に比べ望遠端において物体側に位置するように移動する。この時、広角端に比べ望遠端において、第３レンズ群Ｌ３と第４レンズ群Ｌ４の間隔が広がるように移動することで、第４レンズ群Ｌ４以降の後群ＬＲ全体がもつ変倍効果を大きくしている。
【００３２】
各実施例において、第１レンズ群Ｌ１の焦点距離をｆ１、第１レンズ群Ｌ１の最も物体側のレンズ面から第１レンズ群Ｌ１の最も像側のレンズ面までの光軸上の距離をＤ１、広角端における全系の焦点距離をｆｗ、望遠端における全系の焦点距離をｆｔとする。このとき、
０．２００＜ｆ１／ｆｔ＜０．３３５    ・・・（１）
３．５＜Ｄ１／ｆｗ＜１２．０          ・・・（２）
なる条件式を満足している。
【００３３】
次に前述の各条件式の技術的意味について説明する。条件式（１）は望遠端の長焦点距離化および全系の小型化を図るときの第１レンズ群Ｌ１の焦点距離と、望遠端における全系の焦点距離の比を適切に定めている。条件式（１）の上限を超えて第１レンズ群Ｌ１の焦点距離が長くなると、望遠端においてレンズ全長が長くなり、全系の小型化が困難となる。条件式（１）の下限を超えて第１レンズ群Ｌ１の焦点距離が短くなると、望遠端において軸上色収差や倍率色収差の補正が困難となる。
【００３４】
条件式（２）は広角端の短焦点距離化、高ズーム比化および全系の小型化を図るときの第１レンズ群Ｌ１の光軸上の厚さと、広角端における全系の焦点距離の比を適切に定めている。条件式（２）の上限を超えて、第１レンズ群Ｌ１の光軸上の厚さが厚くなると、レンズ全長が長くなり、さらには前玉有効径も大きくなるため、全系の小型化が困難となる。条件式（２）の下限を超えて、広角端における焦点距離が長くなると、高ズーム比化が困難となる。
【００３５】
尚、更に好ましくは条件式（１）、（２）の数値範囲を次の如く設定するのが良い。
０．２２０＜ｆ１／ｆｔ＜０．３３０      ・・・（１ａ）
３．８＜Ｄ１／ｆｗ＜１０．０            ・・・（２ａ）
更に好ましくは条件式（１ａ）、（２ａ）の数値範囲を次の如く設定するのが良い。
０．２４０＜ｆ１／ｆｔ＜０．３２０      ・・・（１ｂ）
４．２＜Ｄ１／ｆｗ＜９．０              ・・・（２ｂ）
【００３６】
以上の如く構成することにより、広画角かつ高ズーム比でズーム全域にわたり高い光学性能を有した薄型で小型のズームレンズを得ている。各実施例において更に好ましくは次の条件式のうち１つ以上を満足することがより好ましい。
【００３７】
第２レンズ群Ｌ２の焦点距離をｆ２とする。第２レンズ群Ｌ２の広角端における横倍率を２βｗ、第２レンズ群Ｌ２の望遠端における横倍率を２βｔとする。広角端から望遠端へのズーミングにおける第１レンズ群Ｌ１の移動量をＭ１とする。広角端から望遠端へのズーミングにおける第３レンズ群Ｌ３の移動量をＭ３とする。第２レンズ群Ｌ２と第３レンズ群Ｌ３との間にズーミングに際して移動する開口絞りＳＰを有する。このとき広角端から望遠端へのズーミングにおける開口絞りＳＰの移動量をＭｓとする。
【００３８】
広角端における、第２レンズ群Ｌ２の最も像側のレンズ面から第３レンズ群Ｌ３の最も物体側のレンズ面までの光軸上の距離をＤ２３ｗとする。第１レンズ群Ｌ１は複数の正レンズを有し、第１レンズ群Ｌ１に含まれる正レンズの焦点距離の平均値をｆａｖｅ１ｐとする。第１レンズ群Ｌ１は１枚以上の負レンズを有し、第１レンズ群Ｌ１に含まれる少なくとも１枚の負レンズの材料のｄ線におけるアッベ数をνｄ１ｎとする。第１レンズ群Ｌ１に含まれる少なくとも１つの正レンズの材料のｄ線におけるアッベ数をνｄ１ｐとする。
【００３９】
ここで、レンズ群と開口絞りＳＰの移動量は広角端と望遠端におけるレンズ群（開口絞り）の光軸方向の位置の差をいう。移動量の符号は広角端に比べて望遠端において物体側に位置するときを正、像側に位置するときを負とする。
【００４０】
このとき、以下の条件式のうち１つ以上を満足することが好ましい。
２０．０＜ｆ１／ｆｗ＜５０．０            ・・・（３）
１８．０＜２βｔ／２βｗ＜４０．０        ・・・（４）
１５．０＜Ｍ１／ｆｗ＜４０．０            ・・・（５）
１０．０＜Ｄ２３ｗ／ｆｗ＜２０．０        ・・・（６）
−７０．０＜ｆｔ／ｆ２＜−３０．０        ・・・（７）
０．２＜Ｍｓ／Ｍ３＜１．０                ・・・（８）
３４．０＜ｆａｖｅ１ｐ／ｆｗ＜７０．０    ・・・（９）
３０．０＜νｄ１ｎ＜５０．０            ・・・（１０）
８２．０＜νｄ１ｐ                      ・・・（１１）
【００４１】
次に前述の各条件式の技術的意味について説明する。条件式（３）は第１レンズ群Ｌ１の焦点距離と広角端における全系の焦点距離の比を適切に定めている。条件式（３）の上限値を超えて広角端における全系の焦点距離に対して、第１レンズ群Ｌ１の焦点距離が長くなりすぎると、前玉有効径が大きくなり、全系の小型化が困難となる。条件式（３）の下限値を超えて広角端における焦点距離に対して、第１レンズ群Ｌ１の焦点距離が短くなりすぎると、広角端においてコマ収差や像面湾曲の補正が困難となる。
【００４２】
条件式（４）は広角端における第２レンズ群Ｌ２の横倍率と望遠端における第２レンズ群Ｌ２の横倍率の比を適切に定めている。条件式（４）の上限値を超えて広角端における第２レンズ群Ｌ２の横倍率に対して、望遠端における第２レンズ群Ｌ２の横倍率が大きくなりすぎると、ズーム全域において諸収差を良好に補正することが困難となる。条件式（４）の下限値を超えて広角端における第２レンズ群Ｌ２の横倍率に対して、望遠端における第２レンズ群Ｌ２の横倍率が小さくなりすぎると、高ズーム比化を達成することが困難となる。
【００４３】
条件式（５）は広画角化および高ズーム比化を図るときの、広角端から望遠端へのズーミングの際の第１レンズ群Ｌ１の移動量と広角端における全系の焦点距離の比を適切に定めている。条件式（５）の上限を超えて第１レンズ群Ｌ１の移動量が広角端における全系の焦点距離よりも大きくなりすぎると、高ズーム比化を図る際に、望遠端におけるレンズ全長が長くなり、全系の小型化が困難となる。また、第１レンズ群Ｌ１の移動量が大きくなりすぎると、画面周辺光量を十分に確保するために前玉有効径を大きくする必要があり、全系の小型化が困難となる。
【００４４】
条件式（５）の下限を超えて第１レンズ群Ｌ１の移動量が広角端における全系の焦点距離ｆｗよりも小さくなりすぎると、高ズーム比化を図るために、第１レンズ群Ｌ１の正の屈折力を強くする必要がある。第１レンズ群Ｌ１の正の屈折力を過度に強くすると、望遠端において軸上色収差や倍率色収差の補正が困難となる。
【００４５】
条件式（６）は広角端における全系の焦点距離と、広角端における第２レンズ群Ｌ２の最も像側のレンズ面から第３レンズ群Ｌ３の最も物体側のレンズ面までの光軸上の距離との比を適切に定めている。条件式（６）の上限値を超えて広角端における全系の焦点距離に対して、広角端における第２レンズ群Ｌ２の最も像側のレンズ面から第３レンズ群Ｌ３の最も物体側のレンズ面までの光軸上の距離が長くなりすぎると、広角端におけるレンズ全長が増大する。そして全系の小型化が困難となり、広角端におけるコマ収差の補正も困難となる。
【００４６】
条件式（６）の下限値を超えると広角端における全系の焦点距離に対して、広角端における第２レンズ群Ｌ２の最も像側のレンズ面から第３レンズ群Ｌ３の最も物体側のレンズ面までの光軸上の距離が短くなりすぎる。そうすると、第２レンズ群Ｌ２の負の屈折力および第３レンズ群Ｌ３の正の屈折力が強くなりすぎて、広角端における諸収差の補正が困難となる。
【００４７】
条件式（７）は望遠端における全系の焦点距離と第２レンズ群Ｌ２の焦点距離の比を適切に定めている。条件式（７）の上限値を超えて望遠端における全系の焦点距離に対して、第２レンズ群Ｌ２の負の焦点距離が長くなると（負の焦点距離の絶対値が大きくなると）、高ズーム比化を図る際に望遠端におけるレンズ全長が増大し、全系の小型化が困難となる。条件式（７）の下限値を超えて望遠端における全系の焦点距離に対して、第２レンズ群Ｌ２の負の焦点距離が短くなると（負の焦点距離の絶対値が小さくなると）、望遠端において球面収差や軸上色収差の補正が困難となる。
【００４８】
条件式（８）は広角端から望遠端へのズーミングの際の開口絞りＳＰの移動量と第３レンズ群Ｌ３の移動量を適切に定めた条件式である。条件式（８）の上限を超えて第３レンズ群Ｌ３の移動量が小さくなると、第３レンズ群Ｌ３に十分な変倍作用を持たせることができなくなるため、高倍率化が困難となる。条件式（８）の下限を超えて開口絞りＳＰの移動量が、第３レンズ群Ｌ３の移動量に対して小さくなると、広角端における周辺光量を十分に確保するために、開口絞りＳＰより像側に配置されたレンズ群の有効径が大きくなり、全系の小型化が困難となる。さらに広角端におけるコマ収差の補正も困難となる。
【００４９】
条件式（９）は第１レンズ群Ｌ１内に含まれる正レンズの焦点距離の平均を適切に定めている。条件式（９）の上限を超えて第１レンズ群Ｌ１に含まれる正レンズの焦点距離の平均値が長くなりすぎると、望遠端におけるレンズ全長が長くなりすぎて、全系の小型化が困難となる。条件式（９）の下限を超えて第１レンズ群Ｌ１内に含まれる正レンズの焦点距離の平均値が短くなりすぎると、望遠端において軸上色収差や倍率色収差の補正が困難となる。
【００５０】
条件式（１０）は第１レンズ群Ｌ１内に含まれる、少なくとも１つの負レンズの材料のｄ線におけるアッベ数を適切に定めている。条件式（１０）の上限を超えて負レンズの材料のｄ線におけるアッベ数が大きくなりすぎると、現存する材料ではｄ線における屈折率が小さくなりすぎるため、前玉有効径の小型化が困難となる。条件式（１０）の下限を超えて負レンズの材料のｄ線におけるアッベ数が小さくなりすぎると、望遠端において軸上色収差を良好に補正することが困難となる。
【００５１】
条件式（１１）は第１レンズ群Ｌ１内の少なくとも１つの正レンズの材料のｄ線におけるアッベ数を適切に定めている。条件式（１１）の下限を超えて正レンズの材料のｄ線におけるアッベ数が小さくなりすぎると、望遠端において軸上色収差および倍率色収差を良好に補正することが困難となる。なお、各実施例において、好ましくは、条件式（３）乃至（１１）の数値範囲を次の如くするのが良い。
【００５２】
２２．０＜ｆ１／ｆｗ＜４５．０            ・・・（３ａ）
２０．０＜２βｔ／２βｗ＜３５．０        ・・・（４ａ）
１６．０＜Ｍ１／ｆｗ＜３５．０            ・・・（５ａ）
１１．０＜Ｄ２３ｗ／ｆｗ＜１８．０        ・・・（６ａ）
−６７．０＜ｆｔ／ｆ２＜−３３．０        ・・・（７ａ）
０．３＜Ｍｓ／Ｍ３＜０．８                ・・・（８ａ）
３６．０＜ｆａｖｅ１ｐ／ｆｗ＜６５．０    ・・・（９ａ）
３３．０＜νｄ１ｎ＜４７．０              ・・・（１０ａ）
８６．０＜νｄ１ｐ                        ・・・（１１ａ）
【００５３】
また、さらに好ましくは条件式（３ａ）乃至（１１ａ）の数値範囲を次の如く設定すると、先に述べた各条件式が意味する効果を最大限に得られる。
２４．０＜ｆ１／ｆｗ＜４０．０            ・・・（３ｂ）
２２．０＜２βｔ／２βｗ＜３０．０        ・・・（４ｂ）
１８．０＜Ｍ１／ｆｗ＜３０．０            ・・・（５ｂ）
１２．０＜Ｄ２３ｗ／ｆｗ＜１７．０        ・・・（６ｂ）
−６５．０＜ｆｔ／ｆ２＜−３７．０        ・・・（７ｂ）
０．４＜Ｍｓ／Ｍ３＜０．７                ・・・（８ｂ）
３８．０＜ｆａｖｅ１ｐ／ｆｗ＜６２．０    ・・・（９ｂ）
３７．０＜νｄ１ｎ＜４４．０            ・・・（１０ｂ）
９２．０＜νｄ１ｐ                      ・・・（１１ｂ）
【００５４】
各実施例では以上のように各要素を構成することにより、広画角かつ高ズーム比であり、高い光学性能を有するズームレンズを得ることができる。各実施例において、負の屈折力の第２レンズ群Ｌ２を光軸に対し垂直方向の成分を持つように移動させて、光軸に対し垂直方向に像を変移させても良い。これによれば光学系（ズームレンズ）全体が振動（傾動）したときの撮影画像のぶれ（像ぶれ）を補正するのが容易になる（防振が容易になる）。
【００５５】
なお、各実施例において第２レンズ群Ｌ２を光軸に対して垂直方向に移動させて防振を行うとき、移動方式は第２レンズ群Ｌ２を光軸に対して垂直方向の成分を持つように移動させれば、画像のぶれを補正することができる。例えば鏡筒構造の複雑化を許容すれば、光軸上に回転中心を持つように第２レンズ群Ｌ２を回動させて防振を行っても良い。また、防振を第２レンズ群Ｌ２の一部のレンズで行ってもよい。また、第３レンズ群Ｌ３もしくは第３レンズ群Ｌ３の１部で防振を行ってもよい。さらには複数の群、もしくは群の１部を同時に動かすことで防振を行ってもよい。
【００５６】
各実施例はズーム比が８０以上である。このような高ズーム比のズームレンズにおいて全系の小型化を図る場合、第１レンズ群Ｌ１は広角端から望遠端へのズーミングに際して物体側に移動する構成とし、第１レンズ群Ｌ１を４枚以上のレンズで構成することが好ましい。特に第１レンズ群Ｌ１を物体側より、像側へ順に配置された負レンズＧ１１、正レンズＧ１２、正レンズＧ１３、正レンズＧ１４の４枚から構成することが好ましい。さらに、第１レンズ群Ｌ１に含まれる正レンズのうち少なくとも１つに蛍石を使用することが好ましい。
【００５７】
第１レンズ群Ｌ１をこのように構成すると、望遠端付近において軸上色収差および倍率色収差を良好に補正するのが容易となる。第２レンズ群Ｌ２は物体側より、像側へ順に配置された負レンズＧ２１、負レンズＧ２２、正レンズＧ２３、負レンズＧ２４の４枚から構成することが好ましい。第２レンズ群Ｌ２をこのように構成すると、広角端付近において像面湾曲および倍率色収差を良好に補正するのが容易となる。
【００５８】
第３レンズ群Ｌ３は物体側より像側へ順に配置された正レンズＧ３１、負レンズＧ３２、負レンズＧ３３と正レンズＧ３４を接合した接合レンズを有することが好ましい。第３レンズ群Ｌ３をこのように構成すると、全ズーム領域において像面湾曲を良好に補正するのが容易となる。
【００５９】
第４レンズ群Ｌ４は実施例１乃至５のように物体側より像側へ順に配置された、負レンズＧ４１と正レンズＧ４２を接合した接合レンズより構成するのが良い。あるいは実施例６のように物体側より、像側へ順に配置された正レンズＧ４１と負レンズＧ４２の接合レンズで構成することが好ましい。このような構成をとると、最小のレンズ枚数で、第４レンズ群Ｌ４より発生する色収差を良好に補正し、全系の小型化を図るのが容易となる。
【００６０】
第５レンズ群Ｌ５は実施例１乃至５のように、物体側より像側へ順に配置された正レンズＧ５１と負レンズＧ５２を接合した接合レンズで構成されることが好ましい。この他、実施例６のように正レンズＧ５１、負レンズＧ５２と正レンズＧ５３を接合した接合レンズより構成されることが好ましい。このような構成をとることにより、少ないレンズ枚数で、第５レンズ群Ｌ５より発生する色収差を良好に補正し、全系の小型化を図るのが容易となる。
【００６１】
実施例６において第６レンズ群Ｌ６は、１枚の負レンズＧ６１で構成されることが好ましい。このようなこのような構成をとることにより、最小のレンズ枚数で、全ズーム領域において像面湾曲を良好に補正するのが容易となる。
【００６２】
各実施例によれば、以上の如く各レンズ群を構成することにより、全体が小型で、沈胴した際にカメラが薄型化し、広画角かつ高ズーム比で、しかも全ズーム範囲にわたり高い光学性能を有するズームレンズが得られる。
【００６３】
次に本発明のズームレンズを撮影光学系として用いたデジタルカメラ（撮像装置）の実施形態を図１３を用いて説明する。図１３において、２０はデジタルカメラ本体、２１は上述の実施例のズームレンズによって構成された撮影光学系である。２２は撮影光学系２１によって被写体像（像）を受光するＣＣＤ等の撮像素子（光電変換素子）、２３は撮像素子２２が受光した被写体像を記録する記録手段である。２４は不図示の表示素子に表示された被写体像を観察するためのファインダーである。
【００６４】
上記表示素子は液晶パネル等によって構成され、撮像素子２２上に形成された被写体像が表示される。このように本発明のズームレンズをデジタルカメラ等の撮像装置に適用することにより、小型で高い光学性能を有する撮像装置を実現している。
【００６５】
次に、実施例１乃至６に対応する数値データ１乃至６を示す。数値データにおいて、ｉは物体側から数えた面の順序を示す。ｒｉはレンズ面の曲率半径、ｄｉは第ｉ面と第ｉ＋１面との間のレンズ肉厚および空気間隔、ｎｄｉ、νｄｉはそれぞれｄ線に対する第ｉ番目のレンズの材料の屈折率、アッベ数を示す。数値データにおいて最後の２つの面は、フィルター、フェースプレート等の光学ブロックの面である。
【００６６】
また非球面形状はＲを近軸曲率半径、ｋを離心率、Ａ４、Ａ６、Ａ８、Ａ１０を非球面係数、光軸からの高さｈの位置での光軸方向の変位を面頂点を基準にしてｘとするとき、
ｘ＝（ｈ２／Ｒ）／［１＋［１−（１＋ｋ）（ｈ／Ｒ）２］１／２］＋Ａ４ｈ４＋Ａ６ｈ６＋Ａ８ｈ８＋Ａ１０ｈ１０
で表示される。
【００６７】
各実施例において、バックフォーカス（ＢＦ）はレンズ最終面から近軸像面までの距離を空気換算長により表したものである。レンズ全長は最も物体側のレンズ面から最終レンズ面までの距離にバックフォーカスを加えた値である。また、各実施例における上述した各条件式との対応を表１に示す。
【００６８】
数値データ１
単位 mm
面データ
面番号       r        d      nd         νd
1        194.820    2.06   1.88300    40.8           
2         76.733    6.40   1.49700    81.5           
3       1057.071    0.05                             
4         86.304    5.78   1.43387    95.1           
5       1629.875    0.05                             
6         76.723    4.80   1.49700    81.5           
7        263.237  (可変)                             
8         76.409    0.80   1.83481    42.7           
9          9.101    5.50                             
10        -42.098    0.60   1.91082    35.3           
11         43.844    0.05                             
12         18.419    2.75   1.92286    18.9           
13       -104.647    0.80                             
14        -28.536    0.60   1.83481    42.7           
15        200.028  (可変)                             
16(絞り)    ∞     (可変)                             
17*         8.955    3.80   1.55332    71.7           
18*       -62.935    1.02                             
19        644.467    0.60   1.77250    49.6           
20          9.005    0.55                             
21         13.469    0.60   1.78472    25.7           
22         12.345    3.84   1.49700    81.5           
23        -16.375  (可変)                             
24        -24.246    0.60   1.83481    42.7           
25         79.734    1.30   1.57501    41.5           
26        -76.534  (可変)                             
27         39.795    2.25   1.69680    55.5           
28        -28.358    0.50   1.95906    17.5           
29        -38.375  (可変)                             
30          ∞       1.00   1.51633    64.1           
31          ∞       0.50                             
像面        ∞   
【００６９】
非球面データ
第17面
K = 0.00000e+000  A 4=-6.29099e-005  A 6=-1.35645e-007  A 8=-5.57424e-009  
第18面
K = 0.00000e+000  A 4= 1.00685e-004  A 6= 7.01617e-008  
各種データ
ズーム比    95.12 
広角     中間     望遠
焦点距離       4.06    39.58   386.00  
Fナンバー      2.88     5.30     6.70  
半画角（度）  43.67     5.66     0.58  
像高           3.18     3.88     3.88  
レンズ全長   122.50   179.26   202.73  
BF            12.81    24.42    15.27  
d 7            0.58    67.50    97.40  
d15           41.10    11.11     0.45  
d16           15.17     4.72     0.41  
d23            3.57     8.21    12.94  
d26            3.96    18.00    30.95  
d29           11.65    23.26    14.11  
ズームレンズ群データ
群  始面    焦点距離  
1    1     119.45  
2    8      -9.23  
3   16       ∞    
4   17      19.26  
5   24     -33.45  
6   27      30.46  
【００７０】
数値データ２
単位 mm
面データ
面番号       r        d      nd         νd
1        237.325    2.00   1.88300    40.8           
2         89.901    0.28                             
3         90.688    8.00   1.43875    94.9           
4      -2493.483    0.05                             
5         96.607    7.70   1.43387    95.1           
6      -1074.861    0.05                             
7         73.836    5.70   1.49700    81.5           
8        201.482  (可変)                             
9        242.881    0.80   1.83481    42.7           
10          9.707    5.40                             
11        -34.051    0.60   1.91082    35.3           
12         39.418    0.05                             
13         20.063    2.75   1.92286    18.9           
14        -52.914    0.60                             
15        -30.107    0.60   1.83481    42.7           
16        122.724  (可変)                             
17(絞り)    ∞     (可変)                             
18*         8.414    3.80   1.55332    71.7           
19*       -42.448    0.39                             
20      -1147.629    0.60   1.77250    49.6           
21          8.442    0.58                             
22         11.523    0.60   1.80518    25.4           
23         10.912    3.84   1.49700    81.5           
24        -18.245  (可変)                             
25        -42.545    0.60   1.83481    42.7           
26         10.272    1.80   1.57501    41.5           
27       -156.972  (可変)                             
28         33.291    2.40   1.69680    55.5           
29        -22.236    0.50   1.95906    17.5           
30        -29.893  (可変)                             
31          ∞       1.00   1.51633    64.1           
32          ∞       0.50                             
像面        ∞   
【００７１】
非球面データ
第18面
K = 0.00000e+000  A 4=-9.37807e-005  A 6=-1.03506e-007  A 8=-5.39730e-009  
第19面
K = 0.00000e+000  A 4= 1.06075e-004  A 6= 5.21638e-007  
各種データ
ズーム比   120.00 
広角     中間     望遠
焦点距離       3.90    42.58   468.00  
Fナンバー      3.20     5.30     6.99  
半画角（度）  44.51     5.34     0.48  
像高           3.18     3.88     3.88  
レンズ全長   122.95   189.45   213.42  
BF            11.57    21.58    12.48  
d 8            0.58    76.20   101.21  
d16           35.35     4.23     0.50  
d17           17.96    11.68     0.30  
d24            4.60     9.20    14.41  
d27            3.20    16.87    34.83  
d30           10.41    20.42    11.32  
ズームレンズ群データ
群  始面    焦点距離  
1    1     122.63  
2    9      -8.64  
3   17       ∞    
4   18      17.97  
5   25     -24.27  
6   28      24.67  
【００７２】
数値データ３
単位 mm
面データ
面番号       r        d      nd         νd
1        220.241    2.06   1.88300    40.8           
2         87.771    9.40   1.43875    94.9           
3      -18004.664    0.05                             
4         96.079    8.60   1.43387    95.1           
5      -6357.554    0.05                             
6         83.318    6.90   1.49700    81.5           
7        317.145  (可変)                             
8        199.989    0.80   1.83481    42.7           
9          9.510    5.50                             
10        -31.830    0.60   1.91082    35.3           
11         50.126    0.05                             
12         20.538    2.75   1.92286    18.9           
13        -53.127    0.75                             
14        -26.921    0.60   1.83481    42.7           
15        163.723  (可変)                             
16(絞り)    ∞     (可変)                             
17*         8.970    3.80   1.55332    71.7           
18*       -47.503    0.50                             
19        -79.948    0.60   1.77250    49.6           
20          9.788    0.70                             
21         14.118    0.60   1.84666    23.9           
22         13.894    3.82   1.49700    81.5           
23        -12.791  (可変)                             
24        -50.749    0.60   1.83481    42.7           
25         11.144    1.90   1.57501    41.5           
26        397.094  (可変)                             
27         37.032    2.40   1.69680    55.5           
28        -22.638    0.50   1.95906    17.5           
29        -31.709  (可変)                             
30          ∞       1.00   1.51633    64.1           
31          ∞       0.50                             
像面        ∞   
【００７３】
非球面データ
第17面
K = 0.00000e+000  A 4=-7.12947e-005  A 6= 5.70501e-007  A 8=-1.54506e-008  
第18面
K = 0.00000e+000  A 4= 1.54232e-004  A 6= 7.67083e-007  A 8=-2.24511e-008  
各種データ
ズーム比   150.00 
広角     中間     望遠
焦点距離       3.58    43.85   537.00  
Fナンバー      3.40     5.60     7.50  
半画角（度）  48.28     5.12     0.42  
像高           3.18     3.88     3.88  
レンズ全長   128.78   198.25   222.83  
BF            12.62    21.71     9.64  
d 7            0.58    77.57   102.17  
d15           32.73     2.82     0.50  
d16           23.53    13.47     0.30  
d23            4.33     8.32    16.04  
d26            1.46    20.84    40.66  
d29           11.46    20.55     8.48  
ズームレンズ群データ
群  始面    焦点距離  
1    1     125.45  
2    8      -8.55  
3   16       ∞    
4   17      17.74  
5   24     -24.15  
6   27      27.08  
【００７４】
数値データ４
単位 mm
面データ
面番号       r        d      nd         νd
1        196.439    2.00   1.88300    40.8           
2         77.064    6.20   1.49700    81.5           
3       1127.178    0.05                             
4         87.736    5.20   1.43387    95.1           
5       1242.630    0.05                             
6         76.509    4.50   1.49700    81.5           
7        278.389  (可変)                             
8         66.019    0.80   1.83481    42.7           
9          8.845    5.60                             
10        -37.221    0.60   1.91082    35.3           
11         39.118    0.05                             
12         18.629    2.75   1.92286    18.9           
13        -93.160    0.80                             
14        -31.922    0.60   1.83481    42.7           
15        377.914  (可変)                             
16(絞り)    ∞     (可変)                             
17*         8.833    3.80   1.55332    71.7           
18*       -67.242    0.93                             
19        635.385    0.60   1.77250    49.6           
20          9.002    0.55                             
21         14.037    0.60   1.78472    25.7           
22         13.073    3.84   1.49700    81.5           
23        -16.173  (可変)                             
24        -22.519    0.60   1.83481    42.7           
25         77.441    1.30   1.57501    41.5           
26        -48.685  (可変)                             
27         42.138    2.25   1.69680    55.5           
28        -27.798    0.50   1.95906    17.5           
29        -38.359  (可変)                             
30          ∞       1.00   1.51633    64.1           
31          ∞       0.50                             
像面        ∞   
【００７５】
非球面データ
第17面
K = 0.00000e+000  A 4=-6.72564e-005  A 6=-1.14549e-007  A 8=-5.85140e-009  
第18面
K = 0.00000e+000  A 4= 9.67763e-005  A 6= 2.09840e-007  
各種データ
ズーム比    94.99 
広角     中間     望遠
焦点距離       3.79    36.94   360.00  
Fナンバー      2.88     5.30     6.70  
半画角（度）  45.54     6.05     0.62  
像高           3.18     3.88     3.88  
レンズ全長   122.01   177.61   203.45  
BF            13.80    25.04    17.58  
d 7            0.58    66.17    98.51  
d15           41.01    11.46     0.45  
d16           16.80     4.27     0.41  
d23            2.89     7.51    10.96  
d26            2.76    18.99    31.38  
d29           12.64    23.88    16.42  
ズームレンズ群データ
群  始面    焦点距離  
1    1     119.88  
2    8      -9.23  
3   16       ∞    
4   17      19.35  
5   24     -35.56  
6   27      31.53  
【００７６】
数値データ５
単位 mm
面データ
面番号       r        d      nd         νd
1        196.547    1.40   1.88300    40.8           
2         77.348    6.20   1.49700    81.5           
3       1448.109    0.05                             
4         84.603    5.40   1.43387    95.1           
5       1328.372    0.05                             
6         77.484    4.40   1.49700    81.5           
7        244.401  (可変)                             
8         59.542    0.80   1.83481    42.7           
9          9.777    5.10                             
10        -60.087    0.60   1.91082    35.3           
11         38.701    0.05                             
12         17.787    2.75   1.92286    18.9           
13       -182.385    1.00                             
14        -24.742    0.60   1.83481    42.7           
15        287.209  (可変)                             
16(絞り)    ∞     (可変)                             
17*         8.956    3.85   1.55332    71.7           
18*       -55.131    1.20                             
19      -1395.626    0.60   1.77250    49.6           
20          9.029    0.65                             
21         14.868    0.60   1.78472    25.7           
22         13.439    3.84   1.49700    81.5           
23        -17.979  (可変)                             
24        -21.790    0.60   1.83481    42.7           
25         96.521    1.30   1.57501    41.5           
26        -42.367  (可変)                             
27         41.233    2.25   1.69680    55.5           
28        -27.008    0.50   1.95906    17.5           
29        -35.462  (可変)                             
30          ∞       1.00   1.51633    64.1           
31          ∞       0.50                             
像面        ∞   
【００７７】
非球面データ
第17面
K = 0.00000e+000  A 4=-7.14030e-005  A 6=-4.38755e-007  A 8=-1.18780e-008  
第18面
K = 0.00000e+000  A 4= 7.43478e-005  A 6=-3.40739e-007  
各種データ
ズーム比    80.41 
広角     中間     望遠
焦点距離       4.80    43.05   386.00  
Fナンバー      2.88     5.30     6.90  
半画角（度）  38.95     5.23     0.58  
像高           3.33     3.88     3.88  
レンズ全長   122.88   181.65   202.73  
BF            13.78    24.50    15.81  
d 7            0.77    69.65    97.22  
d15           41.07    10.78     0.40  
d16           14.33     6.79     0.40  
d23            4.11     9.77    14.23  
d26            5.04    16.37    30.88  
d29           12.62    23.34    14.65  
ズームレンズ群データ
群  始面    焦点距離  
1    1     119.88  
2    8     -10.02  
3   16       ∞    
4   17      20.94  
5   24     -37.26  
6   27      29.59  
【００７８】
数値データ６
単位 mm
面データ
面番号       r        d      nd         νd
1        202.844    2.00   1.88300    40.8           
2         77.746    6.35   1.49700    81.5           
3       1579.253    0.05                             
4         85.859    5.78   1.43387    95.1           
5       2539.367    0.05                             
6         77.463    4.80   1.49700    81.5           
7        253.357  (可変)                             
8        115.765    0.80   1.83481    42.7           
9          9.560    5.00                             
10        -57.007    0.60   1.91082    35.3           
11         36.440    0.05                             
12         16.981    2.75   1.92286    18.9           
13       -138.099    0.80                             
14        -29.939    0.60   1.83481    42.7           
15         70.088  (可変)                             
16(絞り)    ∞     (可変)                             
17*         8.922    3.80   1.55332    71.7           
18*       -83.993    0.93                             
19        104.168    0.60   1.77250    49.6           
20          8.752    0.73                             
21         12.180    0.60   1.91082    35.3           
22         11.022    3.40   1.49700    81.5           
23        -18.839  (可変)                             
24         79.365    1.60   1.57501    41.5           
25        -16.799    0.60   1.83481    42.7           
26         35.261  (可変)                             
27         38.750    1.70   1.51633    64.1           
28        -84.480    0.05                             
29         72.780    0.50   1.95906    17.5           
30         42.017    1.80   1.65160    58.5           
31        -45.688  (可変)                             
32        -27.274    0.50   1.51633    64.1           
33        -68.323  (可変)                             
34          ∞       1.00   1.51633    64.1           
35          ∞       0.50                             
像面        ∞   
【００７９】
非球面データ
第17面
K = 0.00000e+000  A 4=-7.91522e-005  A 6= 6.49838e-007  A 8=-1.19972e-008  
第18面
K = 0.00000e+000  A 4= 7.55562e-005  A 6= 1.56123e-006  A 8=-1.69513e-008  
各種データ
ズーム比    95.10 
広角     中間     望遠
焦点距離       4.06    39.58   386.00  
Fナンバー      2.88     5.30     6.70  
半画角（度）  43.67     5.65     0.58  
像高           3.18     3.88     3.88  
レンズ全長   120.52   177.99   202.83  
BF             2.64     2.64     2.64  
d 7            0.75    67.39    97.58  
d15           37.39    12.38     0.56  
d16           16.90     0.98     0.52  
d23            1.70     7.96    10.93  
d26            5.68    17.79    32.16  
d31            9.02    22.41    12.00  
d33            1.48     1.48     1.48  
ズームレンズ群データ
群  始面    焦点距離  
1    1     118.95  
2    8      -8.92  
3   16       ∞    
4   17      19.05  
5   24     -31.58  
6   27      25.84  
7   32     -88.29  
【００８０】
【表１】
2017068155.tif 000003
【符号の説明】
【００８１】
Ｌ１  第１レンズ群    Ｌ２  第２レンズ群    Ｌ３  第３レンズ群
Ｌ４  第４レンズ群    Ｌ５  第５レンズ群    Ｌ６  第６レンズ群    ＬＲ  後群
【図１】
2017068155.tif 000004
【図２】
2017068155.tif 000005
【図３】
2017068155.tif 000006
【図４】
2017068155.tif 000007
【図５】
2017068155.tif 000008
【図６】
2017068155.tif 000009
【図７】
2017068155.tif 000010
【図８】
2017068155.tif 000011
【図９】
2017068155.tif 000012
【図１０】
2017068155.tif 000013
【図１１】
2017068155.tif 000014
【図１２】
2017068155.tif 000015
【図１３】
2017068155.tif 000016